(57)【要約】【課題】本発明は、移動通信端末機のハンドオーバーイベントが発生した時、各隣接基地局の情報をスキャンする時間を減らすことで、ハンドオーバーを迅速に行い得る移動通信端末機のハンドオーバーをトリガー方法及びその装置を提供する。【解決手段】本発明に係る移動通信端末機のハンドオーバートリガー方法は、多数の隣接基地局の電力値に基づいて移動通信端末機と前記多数の隣接基地局の間の各距離値を計算する段階と、前記計算された各距離値の中で最も小さい距離値を有する特定隣接基地局の情報をサービス基地局に伝送する段階と、を含むことを特徴とする。【選択図】図１
2007049700.tif 000002
【特許請求の範囲】
【請求項１】
多数の隣接基地局の電力値を根拠に移動端末機と前記多数の隣接基地局の間の各距離値を計算する段階と、
前記計算された各距離値の中で最も短い距離値に該当する特定隣接基地局の情報をサービス基地局に伝送する段階と、を含むことを特徴とする移動端末機のハンドオーバートリガー方法。
【請求項２】
前記特定隣接基地局の情報は、
ハンドオーバーのためのメッセージに登録されることを特徴とする請求項１記載の移動通信端末機のハンドオーバートリガー方法。
【請求項３】
前記特定隣接基地局の情報を含む前記メッセージは、前記サービス基地局に伝送されることを特徴とする請求項２記載の移動通信端末機のハンドオーバートリガー方法。
【請求項４】
該ハンドオーバーイベントは、
ソフトハンドオーバーイベントであることを特徴とする請求項１記載の移動通信端末機のハンドオーバートリガー方法。
【請求項５】
移動通信端末機のハンドオーバーイベントが発生すると、多数の隣接基地局の各電力値を計算する段階と、
前記各電力値に基づいて前記移動通信端末機と前記多数の隣接基地局の間の各距離値を計算する段階と、
前記計算された各距離値の中で基準距離値より小さい距離値を有する特定隣接基地局の情報をサービス基地局に伝送する段階と、を含むことを特徴とする移動通信端末機のハンドオーバートリガー方法。
【請求項６】
前記特定隣接基地局の情報は、
ハンドオーバーのためのメッセージに登録されることを特徴とする請求項５記載の移動通信端末機のハンドオーバートリガー方法。
【請求項７】
前記メッセージは、
一つの隣接基地局の情報を含むことを特徴とする請求項６記載の移動通信端末機のハンドオーバートリガー方法。
【請求項８】
前記メッセージは、
前記基準距離値より短い各距離値の中で最も小さい距離値を有する隣接基地局の情報を含むことを特徴とする請求項６記載の移動通信端末機のハンドオーバートリガー方法。
【請求項９】
該ハンドオーバーイベントは、
ソフトハンドオーバーイベントであることを特徴とする請求項５記載の移動通信端末機のハンドオーバートリガー方法。
【請求項１０】
前記多数の隣接基地局の各電力値（ＰＲ）は、
【数１】
2007049700.tif 000011
の式により計算され、式中、ＰＴは、隣接基地局の送信電力で、ＧＴは、前記隣接基地局の送信アンテナ利得で、ＧＲは、前記移動通信端末機の受信アンテナ利得であることを特徴とする請求項５記載の移動通信端末機のハンドオーバートリガー方法。
【請求項１１】
前記移動通信端末機と各隣接基地局間の距離（ｒ）は、
【数２】
2007049700.tif 000012
の式により計算されることを特徴とする請求項１０記載の移動通信端末機のハンドオーバートリガー方法。
【請求項１２】
移動通信端末機と基地局の間の信号強度に基づいてハンドオーバーイベントが発生する時、該ハンドオーバーイベントの発生に応答して前記移動通信端末機に隣接した各基地局の信号を受信する段階と、
前記受信された各信号の電力値に基づいて前記移動通信端末機と前記各隣接基地局の間の各距離値を計算する段階と、
前記計算された各距離値と基準距離値とを比較する段階と、
前記基準距離値より小さい距離値を有する特定隣接基地局の情報をハンドオーバーのためのメッセージに登録する段階と、を含むことを特徴とする移動通信端末機のハンドオーバートリガー方法。
【請求項１３】
前記特定隣接基地局の情報を前記ハンドオーバーのための前記メッセージに登録する段階は、
前記基準距離値より小さい各距離値の中で最も小さい距離値を有する隣接基地局の情報を前記メッセージに登録する段階であることを特徴とする請求項１２記載の移動通信端末機のハンドオーバートリガー方法。
【請求項１４】
前記各隣接基地局の各電力値（ＰＲ）は、
【数３】
2007049700.tif 000013
の式により計算され、式中、ＰＴは、隣接基地局の送信電力で、ＧＴは、前記隣接基地局の送信アンテナ利得で、ＧＲは、前記移動通信端末機の受信アンテナ利得であることを特徴とする請求項１２記載の移動通信端末機のハンドオーバートリガー方法。
【請求項１５】
前記移動通信端末機と各隣接基地局間の距離（ｒ）は、
【数４】
2007049700.tif 000014
の式により計算されることを特徴とする請求項１４記載の移動通信端末機のハンドオーバートリガー方法。
【請求項１６】
前記ハンドオーバーは、
ソフトハンドオーバーであることを特徴とする請求項１２記載の移動通信端末機のハンドオーバーオーバートリガー方法。
【請求項１７】
移動通信端末機のハンドオーバーイベントが発生すると、各隣接基地局から信号を受信し、該受信された各信号の電力値を測定する物理層と、
ハンドオーバーのためのメッセージをサービス基地局に伝送する無線リンク制御（ＲＬＣ）層と、
前記物理階層により測定された各電力値に基づいて前記移動通信端末機と前記各隣接基地局の間の距離を計算し、該計算された各距離値の中で基準距離値より小さい距離値を有する各隣接基地局の情報をハンドオーバーのためのメッセージに登録する制御階層と、を含むことを特徴とする移動通信端末機のハンドオーバートリガー装置。
【請求項１８】
前記制御層は、
前記基準距離値より小さい各距離値の中で最も小さい距離値を有する隣接基地局の情報を前記メッセージに登録することを特徴とする請求項１７記載の移動通信端末機のハンドオーバートリガー装置。
【請求項１９】
前記無線リンク制御（ＲＬＣ）層は、
前記最も小さい距離値を有する前記隣接基地局の情報を含む前記メッセージを前記サービス基地局に伝送することを特徴とする請求項１８記載の移動通信端末機のハンドオーバートリガー装置。
【請求項２０】
前記制御層は、
【数５】
2007049700.tif 000015
の式により前記各隣接基地局の各電力値（ＰＲ）を計算し、式中、ＰＴは、隣接基地局の送信電力で、ＧＴは、前記隣接基地局の送信アンテナ利得で、ＧＲは、前記移動通信端末機の受信アンテナ利得であることを特徴とする請求項１７記載の移動通信端末機のハンドオーバートリガー装置。
【請求項２１】
前記制御階層は、
【数６】
2007049700.tif 000016
の式により前記移動通信端末機と各隣接基地局間の距離（ｒ）を計算することを特徴とする請求項２０記載の移動通信端末機のハンドオーバートリガー装置。
【発明の詳細な説明】
【技術分野】
【０００１】
本発明は、移動通信端末機に係るもので、詳しくは、移動通信端末機のハンドオーバートリガー方法及びその装置に関するものである。
【背景技術】
【０００２】
従来の汎用移動通信システム（ＵＭＴＳ）及び広帯域符号分割多重接続（ＷＣＤＭＡ）技術を利用する移動通信端末機は、信号強度が弱くなると、ハンドオーバーを行う。ここで、ハンドオーバーとは、通話中の状態の移動通信端末機が該当基地局サービス地域を外れて隣接基地局サービス地域に移動する時、移動通信端末機が隣接基地局の新しい通話チャンネル（ｔｒａｆｆｉｃ  ｃｈａｎｎｅｌ）に自動同調されて持続的に通話状態を維持する機能を言う。即ち、サービス基地局に無線リンクされた移動通信端末機は、そのサービス基地局の信号強度が弱くなると、隣接基地局に無線リンクされる。
【０００３】
図４は、従来の移動通信端末機のハンドオーバートリガー方法を示した図である。
【０００４】
移動通信端末機は、図４に示したように、サービス基地局の信号強度が弱くなってハンドオーバーイベントが発生すると、ハンドオーバーのためのメッセージをサービス基地局から受信する。例えば、通話中の状態の移動通信端末機が第１基地局のサービス地域）を外れて第２基地局のサービス地域に移動する時、ハンドオーバーイベントが発生すると、前記サービス基地局は、多数の隣接基地局に関する情報を含むＮＢＲ−ＡＤＶ（ｎｅｉｇｈｂｏｒ  ａｄｖｅｒｔｉｓｅｍｅｎｔ）メッセージを移動通信端末機に伝送する。
【０００５】
前記移動通信端末機は、ＮＢＲ−ＡＤＶメッセージに基づいてＳＣＮ−ＲＥＱメッセージ（ｓｃａｎｎｉｎｇ  ｉｎｔｅｒｖａｌ  ｒｅｑｕｅｓｔ  ｍｅｓｓａｇｅ）を前記サービス基地局に伝送することで、ハンドオーバーが可能な基地局を決定する。
【０００６】
しかし、従来の移動通信端末機のハンドオーバートリガー方法は、サービス基地局が多数の隣接基地局に関する情報を移動通信端末機に一方的に通報する方式である。例えば、前記サービス基地局は、多数の隣接基地局に関する情報をＮＢＲ−ＡＤＶメッセージにより移動通信端末機に伝送し、移動通信端末機は、ＮＢＲ−ＡＤＶメッセージに基づいてＳＣＮ−ＲＥＱメッセージを前記サービス基地局に伝送することで、ハンドオーバーが可能な基地局を決定する。即ち、移動通信端末機は、サービス基地局から多数の隣接基地局の情報を受信することで、ハンドオーバーのために多数の隣接基地局の情報をスキャンする時間が増えるという問題があった。
【０００７】
従って、このような従来の移動通信端末機のハンドオーバートリガー方法においては、多数の隣接基地局の情報をスキャンする時間が増えるため、ハンドオーバーを迅速に行い得ないという問題点があった。
【０００８】
一方、従来技術に係るハンドオーバーについては、特許文献１〜３にも記載されている。
【特許文献１】米国特許第６６１５０４４号明細書
【特許文献２】米国特許第６８４５２３８号明細書
【特許文献３】米国特許第６８７９８３１号明細書
【発明の開示】
【発明が解決しようとする課題】
【０００９】
従って、本発明は、移動通信端末機のハンドオーバーイベントが発生した時、各隣接基地局の情報をスキャンする時間を短縮することで、ハンドオーバーを迅速に行い得る移動通信端末機のハンドオーバーをトリガー方法及びその装置を提供することを目的とする。
【課題を解決するための手段】
【００１０】
前記目的を達成するために、本発明に係る移動通信端末機のハンドオーバートリガー方法は、多数の隣接基地局の電力値に基づいて移動通信端末機と前記多数の隣接基地局の間の各距離値を計算する段階と、前記計算された各距離値の中で最も小さい距離値を有する特定隣接基地局の情報をサービス基地局に伝送する段階と、から成ることを特徴とする。
【００１１】
また、前記目的を達成するために、本発明に係る移動通信端末機のハンドオーバートリガー方法は、移動通信端末機のハンドオーバーイベントが発生すると、多数の隣接基地局の各電力値を計算する段階と、前記各電力値に基づいて前記移動通信端末機と前記多数の隣接基地局の間の各距離値を計算する段階と、前記計算された各距離値の中で基準距離値より小さい距離値を有する特定隣接基地局の情報をサービス基地局に伝送する段階と、から成ることを特徴とする。
【００１２】
さらに、前記目的を達成するための本発明に係る移動通信端末機のハンドオーバートリガーする方法は、移動通信端末機と基地局の間の信号強度に基づいてハンドオーバーイベントが発生すると、該ハンドオーバーイベントの発生に応答して前記移動通信端末機に隣接した各基地局の信号を受信する段階と、前記受信された各信号の電力値に基づいて前記移動通信端末機と前記各隣接基地局の間の各距離値を計算する段階と、前記計算された各距離値と基準距離値とを比較する段階と、前記基準距離値より小さい距離値を有する特定隣接基地局の情報をハンドオーバーのためのメッセージに登録する段階と、から成ることを特徴とする。
【００１３】
さらに、前記目的を達成するために、本発明に係る移動通信端末機のハンドオーバートリガーする装置は、移動通信端末機のハンドオーバーイベントが発生すると、各隣接基地局から信号を受信し、該受信された各信号の電力値を測定する物理層と、ハンドオーバーのためのメッセージをサービス基地局に伝送する無線リンク制御（ＲＬＣ）層と、前記物理層により測定された各電力値に基づいて前記移動通信端末機と前記各隣接基地局の間の距離を計算し、該計算された各距離値の中で基準距離値より小さい距離値を有する各隣接基地局の情報をハンドオーバーのためのメッセージに登録する制御層と、から構成されることを特徴とする。
【００１４】
上記目的を達成するために、本発明は、例えば、以下の手段を提供する。
（項目１）
多数の隣接基地局の電力値を根拠に移動端末機と前記多数の隣接基地局の間の各距離値を計算する段階と、
前記計算された各距離値の中で最も短い距離値に該当する特定隣接基地局の情報をサービス基地局に伝送する段階と、を含むことを特徴とする移動端末機のハンドオーバートリガー方法。
（項目２）
前記特定隣接基地局の情報は、
ハンドオーバーのためのメッセージに登録されることを特徴とする項目１記載の移動通信端末機のハンドオーバートリガー方法。
（項目３）
前記特定隣接基地局の情報を含む前記メッセージは、前記サービス基地局に伝送されることを特徴とする項目２記載の移動通信端末機のハンドオーバートリガー方法。
（項目４）
該ハンドオーバーイベントは、
ソフトハンドオーバーイベントであることを特徴とする項目１記載の移動通信端末機のハンドオーバートリガー方法。
（項目５）
移動通信端末機のハンドオーバーイベントが発生すると、多数の隣接基地局の各電力値を計算する段階と、
前記各電力値に基づいて前記移動通信端末機と前記多数の隣接基地局の間の各距離値を計算する段階と、
前記計算された各距離値の中で基準距離値より小さい距離値を有する特定隣接基地局の情報をサービス基地局に伝送する段階と、を含むことを特徴とする移動通信端末機のハンドオーバートリガー方法。
（項目６）
前記特定隣接基地局の情報は、
ハンドオーバーのためのメッセージに登録されることを特徴とする項目５記載の移動通信端末機のハンドオーバートリガー方法。
（項目７）
前記メッセージは、
一つの隣接基地局の情報を含むことを特徴とする項目６記載の移動通信端末機のハンドオーバートリガー方法。
（項目８）
前記メッセージは、
前記基準距離値より短い各距離値の中で最も小さい距離値を有する隣接基地局の情報を含むことを特徴とする項目６記載の移動通信端末機のハンドオーバートリガー方法。
（項目９）
該ハンドオーバーイベントは、
ソフトハンドオーバーイベントであることを特徴とする項目５記載の移動通信端末機のハンドオーバートリガー方法。
（項目１０）
前記多数の隣接基地局の各電力値（ＰＲ）は、
【００１５】
【数７】
2007049700.tif 000003
の式により計算され、式中、ＰＴは、隣接基地局の送信電力で、ＧＴは、前記隣接基地局の送信アンテナ利得で、ＧＲは、前記移動通信端末機の受信アンテナ利得であることを特徴とする項目５記載の移動通信端末機のハンドオーバートリガー方法。
（項目１１）
前記移動通信端末機と各隣接基地局間の距離（ｒ）は、
【００１６】
【数８】
2007049700.tif 000004
の式により計算されることを特徴とする項目１０記載の移動通信端末機のハンドオーバートリガー方法。
（項目１２）
移動通信端末機と基地局の間の信号強度に基づいてハンドオーバーイベントが発生する時、該ハンドオーバーイベントの発生に応答して前記移動通信端末機に隣接した各基地局の信号を受信する段階と、
前記受信された各信号の電力値に基づいて前記移動通信端末機と前記各隣接基地局の間の各距離値を計算する段階と、
前記計算された各距離値と基準距離値とを比較する段階と、
前記基準距離値より小さい距離値を有する特定隣接基地局の情報をハンドオーバーのためのメッセージに登録する段階と、を含むことを特徴とする移動通信端末機のハンドオーバートリガー方法。
（項目１３）
前記特定隣接基地局の情報を前記ハンドオーバーのための前記メッセージに登録する段階は、
前記基準距離値より小さい各距離値の中で最も小さい距離値を有する隣接基地局の情報を前記メッセージに登録する段階であることを特徴とする項目１２記載の移動通信端末機のハンドオーバートリガー方法。
（項目１４）
前記各隣接基地局の各電力値（ＰＲ）は、
【００１７】
【数９】
2007049700.tif 000005
の式により計算され、式中、ＰＴは、隣接基地局の送信電力で、ＧＴは、前記隣接基地局の送信アンテナ利得で、ＧＲは、前記移動通信端末機の受信アンテナ利得であることを特徴とする項目１２記載の移動通信端末機のハンドオーバートリガー方法。
（項目１５）
前記移動通信端末機と各隣接基地局間の距離（ｒ）は、
【００１８】
【数１０】
2007049700.tif 000006
の式により計算されることを特徴とする項目１４記載の移動通信端末機のハンドオーバートリガー方法。
（項目１６）
前記ハンドオーバーは、
ソフトハンドオーバーであることを特徴とする項目１２記載の移動通信端末機のハンドオーバーオーバートリガー方法。
（項目１７）
移動通信端末機のハンドオーバーイベントが発生すると、各隣接基地局から信号を受信し、該受信された各信号の電力値を測定する物理層と、
ハンドオーバーのためのメッセージをサービス基地局に伝送する無線リンク制御（ＲＬＣ）層と、
前記物理階層により測定された各電力値に基づいて前記移動通信端末機と前記各隣接基地局の間の距離を計算し、該計算された各距離値の中で基準距離値より小さい距離値を有する各隣接基地局の情報をハンドオーバーのためのメッセージに登録する制御階層と、を含むことを特徴とする移動通信端末機のハンドオーバートリガー装置。
（項目１８）
前記制御層は、
前記基準距離値より小さい各距離値の中で最も小さい距離値を有する隣接基地局の情報を前記メッセージに登録することを特徴とする項目１７記載の移動通信端末機のハンドオーバートリガー装置。
（項目１９）
前記無線リンク制御（ＲＬＣ）層は、
前記最も小さい距離値を有する前記隣接基地局の情報を含む前記メッセージを前記サービス基地局に伝送することを特徴とする項目１８記載の移動通信端末機のハンドオーバートリガー装置。
（項目２０）
前記制御層は、
【００１９】
【数１１】
2007049700.tif 000007
の式により前記各隣接基地局の各電力値（ＰＲ）を計算し、式中、ＰＴは、隣接基地局の送信電力で、ＧＴは、前記隣接基地局の送信アンテナ利得で、ＧＲは、前記移動通信端末機の受信アンテナ利得であることを特徴とする項目１７記載の移動通信端末機のハンドオーバートリガー装置。
（項目２１）
前記制御階層は、
【００２０】
【数１２】
2007049700.tif 000008
の式により前記移動通信端末機と各隣接基地局間の距離（ｒ）を計算することを特徴とする項目２０記載の移動通信端末機のハンドオーバートリガー装置。
【発明の効果】
【００２１】
本発明に係る移動通信端末機のハンドオーバートリガー方法及びその装置においては、移動通信端末機のハンドオーバーイベントが発生すると、サービス基地局が多数の隣接基地局の情報を移動通信端末機に伝送するのではなく、移動通信端末機と最も隣接した基地局の情報のみを登録することで、各隣接基地局の情報を検索する時間を短縮し得るという効果がある。また、本発明に係る移動通信端末機のハンドオーバートリガー方法及びその装置においては、各隣接基地局の電力値に基づいて、スキャンする各隣接基地局の数を減少させることで、隣接基地局スキャン時間を短縮し得るという効果もある。
【００２２】
本発明に係る移動通信端末機のハンドオーバートリガー方法及びその装置においては、隣接基地局の情報をスキャンする時間を短縮させることで、ハンドオーバーを迅速に行い得るという効果もある。
【発明を実施するための最良の形態】
【００２３】
以下、移動通信端末機のハンドオーバーイベント（通信−ハンドオーバーイベント（ｃｏｍｍｕｎｉｃａｔｉｏｎ−ｈａｎｄｏｖｅｒ  ｅｖｅｎｔ））が発生すると、各隣接基地局の信号強度（電力値）に基づいてスキャンする各隣接基地局の数を減少させて各隣接基地局の情報をスキャンする時間を短縮することで、ハンドオーバーを迅速に行い得る方法の好ましい実施形態について図１−図３を参照して詳細に説明する。ここで、前記移動通信端末機は、汎用移動通信システム（ＵＭＴＳ）及び広帯域符号分割多重接続（ＷＣＤＭＡ）システムに適用される。
【００２４】
図１は、本発明の実施形態に係る移動通信端末機のハンドオーバートリガー方法を説明するためのシステムを概略的に示した図である。
【００２５】
移動通信端末機１０は、図１に示したように、隣接基地局２０から受信された電力値（ＰＲ）を以下の数式１により計算する。
【００２６】
【数１３】
2007049700.tif 000009
式中、ＰＴは、隣接基地局２０の送信電力で、ＧＴは、隣接基地局２０の送信アンテナ利得で、ＧＲは、移動通信端末機１０の受信アンテナ利得である。従って、移動通信端末機１０は、以下の数式２により移動通信端末機１０と隣接基地局２０間の距離（ｒ）を計算することができる。
【００２７】
【数１４】
2007049700.tif 000010
ここで、移動通信端末機が多数の各隣接基地局から信号を受信することができても、前記基準距離値（例えば、１．５ｋｍ）より小さい値を有する隣接基地局の情報のみをハンドオーバーのためのメッセージ（例えば、ＭＯＢ＿ＮＢＲ−ＡＤＶのＮ＿ＮＥＩＧＨＢＯＲＳ）に登録する。即ち、本発明は、多数の隣接基地局の信号強度、または距離値によって、スキャンする各隣接基地局の数を制限して各隣接基地局の情報をスキャンする時間を短縮することで、ハンドオーバーを迅速に行うことができる。
【００２８】
一方、本発明は、移動通信端末機が移動通信端末機と隣接基地局間の距離を計算し、該計算された距離値に基づいて移動通信端末機と最も近い隣接基地局の数を予め設定された数だけ（例えば、最も小さい距離値を有する一つの隣接基地局の情報）登録することで、ハンドオーバーを迅速に行うことができる。
【００２９】
図２は、本発明の実施形態に係る移動通信端末機のハンドオーバートリガー装置を示したブロック図である。
【００３０】
本発明の実施形態に係る移動通信端末機のハンドオーバートリガー装置は、図２に示したように、ハンドオーバーイベントが発生すると、多数の基地局（多数の隣接基地局）から信号を受信し、該受信された各信号の電力値を測定する物理層１３と、サービス基地局３０にハンドオーバーのためのメッセージを伝送する無線リンク制御（ＲＬＣ）層１２と、前記物理層１３により測定された各電力値に基づいて移動通信端末機１０と各隣接基地局２０間の距離を計算し、該計算された各距離値の中で基準距離値より小さい距離値を有する各隣接基地局の情報を前記ハンドオーバーのためのメッセージ（例えば、ＳＣＮ−ＲＥＱメッセージ（Ｓｃａｎｎｉｎｇ  Ｉｎｔｅｒｖａｌ  Ａｌｌｏｃａｔｉｏｎ  Ｒｅｑｕｅｓｔ  ｍｅｓｓａｇｅ）に登録する制御層１１と、から構成される。ここで、前記無線リンク制御（ＲＬＣ）階層１２は、前記登録された各隣接基地局の情報を前記ハンドオーバーのためのメッセージを通じて前記サービス基地局３０に伝送する。
【００３１】
以下、本発明の実施形態に係る移動通信端末機のハンドオーバートリガー装置の動作について図３を参照して詳細に説明する。
【００３２】
図３は、本発明の実施形態に係る移動通信端末機のハンドオーバートリガー方法を示した図である。ここで、前記ハンドオーバーとは、ソフトハンドオーバーを意味する。
【００３３】
本発明の実施形態に係る移動通信端末機のハンドオーバートリガー方法は、図３に示したように、移動通信端末機と基地局の間の信号強度に基づいてハンドオーバーイベントが発生すると、多数の隣接基地局の信号を受信する段階と、前記受信された各信号の電力値を測定し、該測定された各電力値に基づいて移動通信端末機と各隣接基地局間の距離を計算する段階と、前記計算された各距離値と基準距離値とを比較し、前記計算された各距離値の中で基準距離値より小さい距離値を有する各隣接基地局の情報をハンドオーバーのためのメッセージ（例えば、ＳＣＮ−ＲＥＱメッセージに登録する段階と、前記ハンドオーバーのためのメッセージをサービス基地局に伝送することで、移動通信端末機がハンドオーバーのが可能な基地局を決定する段階と、から成る。
【００３４】
ここで、前記小さい距離値を有する各隣接基地局の数は、予め設定されることが好ましい。
【００３５】
以下、本発明の実施形態に係る移動通信端末機のハンドオーバートリガー方法について図２及び図３を参照して詳細に説明する。
【００３６】
まず、前記移動通信端末機１０の物理階層１３は、移動通信端末機１０とサービス基地局３０間の信号強度が弱くなってハンドオーバーイベントが発生すると、多数の隣接基地局２０の信号を受信し、該受信された信号の電力を測定し、該測定された各電力値を前記制御層１１に伝送する。例えば、前記物理層１３は、通話中の状態の移動通信端末機１０が第１基地局のサービス地域を外れて第２基地局のサービス地域に移動する時、ハンドオーバーイベントが発生すると、前記第２基地局の信号を受信し、該受信された信号の電力を測定する（Ｓ１１）。ここで、第２基地局は、少なくとも一つ以上の基地局であり、前記ハンドオーバーとは、通話中の状態の移動通信端末機が該当基地局サービス地域を外れて隣接基地局サービス地域に移動する時、その該当基地局と移動通信端末機間の信号強度が弱くなると、通話を維持するために、移動通信端末機が隣接基地局の新しい通話チャンネルに自動同調されて持続的に通話状態を維持する機能を言う。即ち、移動通信端末機は、通信リンクを維持するために、隣接基地局に無線リンクされる。
【００３７】
その後、前記移動通信端末機１０の制御階層１１は、前記多数の隣接基地局の電力値を受信し、該受信された電力値を前記数式２に代入することで、移動通信端末機と各隣接基地局間の各距離値を計算し、該計算された各距離値が予め設定された基準距離値より小さいか否かを判断する（Ｓ１２）。
【００３８】
前記移動通信端末機１０の制御層１１は、前記各計算された距離値が予め設定された基準距離値より小さいと（Ｓ１３）、前記予め設定された基準距離値より小さい距離値を有する隣接基地局の情報をハンドオーバーのためのメッセージに登録する。ここで、前記移動通信端末機１０は、前記予め設定された基準距離値より小さい各距離値の中で最も小さい距離値を有する一つの隣接基地局の情報のみをハンドオーバーのためのメッセージに登録することが好ましい（Ｓ１４）。
【００３９】
それに対して、前記移動通信端末機１０の制御階層１１は、前記計算された各距離値が予め設定された基準距離値より大きいと、前記計算された各距離値の中で最も小さい値を有する一つの隣接基地局の情報を前記ハンドオーバーのためのメッセージに登録することが好ましい（Ｓ１５）。
【００４０】
前記移動通信端末機１０は、前記隣接基地局の情報を有するハンドオーバーのためのメッセージを前記サービス基地局３０に伝送することで、ハンドオーバーが可能な基地局（例えば、最も小さい距離値を有する基地局を選択する）を決定する。即ち、前記移動通信端末機１０は、以前のサービス基地局との無線リンクを解除し、最も小さい距離値を有する隣接基地局と無線リンクされる。
【００４１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【００４２】
本発明は、移動通信端末機のハンドオーバーイベントが発生した時、各隣接基地局の情報をスキャンする時間を減らすことで、ハンドオーバーを迅速に行い得る移動通信端末機のハンドオーバーをトリガー方法及びその装置を提供する。
【００４３】
本発明に係る移動通信端末機のハンドオーバートリガー方法は、多数の隣接基地局の電力値に基づいて移動通信端末機と前記多数の隣接基地局の間の各距離値を計算する段階と、前記計算された各距離値の中で最も小さい距離値を有する特定隣接基地局の情報をサービス基地局に伝送する段階と、を含むことを特徴とする。
【図面の簡単な説明】
【００４４】
【図１】本発明の実施形態に係る移動通信端末機のハンドオーバートリガー方法を説明するためのシステムを概略的に示した図である。
【図２】本発明の実施形態に係る移動通信端末機のハンドオーバートリガー装置を示したブロック図である。
【図３】本発明の実施形態に係る移動通信端末機のハンドオーバートリガー方法を示したフローチャートである。
【図４】従来の移動通信端末機のハンドオーバートリガー方法を示した図である。
【符号の説明】
【００４５】
１０：移動通信端末機
１１：制御層
１２：ＲＬＣ層
１３：物理層
２０：多数の隣接基地局
３０：サービス基地局
【図１】
2007049700.tif 000017
【図２】
2007049700.tif 000018
【図３】
2007049700.tif 000019
【図４】
2007049700.tif 000020